(57)【要約】【課題】連結された携帯機がリモコンから遠ざかる方向に傾いても、携帯機とリモコンとの間で無線通信できる可能性を高めること。【解決手段】リモコン１は、使用者の手に握られる筐体部２であって、高さ方向が最も長い長尺状に形成された筐体部２と、電子回路が形成され、筐体部２に内蔵される電子回路基板３と、筐体部２に内蔵され、電子回路基板３に形成された電子回路が、筐体部２に連結される携帯機と無線通信をするための第１アンテナ素子４０と、を備えている。筐体部２には、当該筐体部２の面のうち、当該筐体部２を奥行き方向に見た面とは反対側の背面２１において、高さ方向の両方の縁部のうち一方の縁部に、凹部５１が設けられている。また、筐体部２は、凹部５１に設けられ、当該リモコン１と携帯機９とを連結するキーホルダリング８を引っ掛ける引掛部５２を備えている。【選択図】図２
2019176419.tif 000002
【特許請求の範囲】
【請求項１】
使用者の手に握られる筐体部であって、前記筐体部の高さ方向、幅方向及び奥行き方向のうち、前記高さ方向が最も長い長尺状に形成された前記筐体部と、
少なくとも一つの実装面を有し、前記実装面に複数の回路素子が実装されることにより電子回路が形成され、前記筐体部に内蔵される電子回路基板部と、
前記筐体部に内蔵され、前記電子回路が、前記筐体部に連結される連結対象物と無線通信をするためのアンテナ部と、
を備える通信装置であって、
前記筐体部は、
当該筐体部の面のうち、当該筐体部を前記奥行き方向に見た面と、当該面とは反対側の面とは反対側の面とのいずれか一方の面において、前記高さ方向の両方の縁部のうち一方の縁部に設けられた凹部と、
前記凹部に設けられ、当該通信装置と前記連結対象物とを連結する連結具を引っ掛ける引掛部と
を備える通信装置。
【請求項２】
請求項１に記載の通信装置において、
前記アンテナ部は、
前記電子回路基板部のうち、前記引掛部の近傍に取り付けられている通信装置。
【請求項３】
請求項１又は請求項２に記載の通信装置において、
前記筐体部は、
前記２つの面のうち、いずれか一方の面にスイッチ部を備え、
前記凹部は、
前記２つの面のうち、前記スイッチ部が設けられていない側の面に設けられている通信装置。
【請求項４】
請求項１〜３のいずれか一項に記載の通信装置において、
前記引掛部は、非金属材料で構成されている通信装置。
【請求項５】
請求項１〜４のいずれか一項に記載の通信装置において、
前記アンテナ部は第１アンテナ部であり、前記筐体部から前記筐体部の外側に向かって伸縮可能に形成され、前記電子回路が前記連結対象物より遠方に配置された通信対象と無線通信をするための第２アンテナ部を備える通信装置。
【発明の詳細な説明】
【技術分野】
【０００１】
本発明は、通信装置に関する。
【背景技術】
【０００２】
近年の車両には、次のような、車両の稼働を許可する稼働システムが適用されていることが多い。この稼働システムとは、車両とペアリングされた携帯機を、車両に装備された車両装置に近づけると、車両装置から発信された無線信号を携帯機が受信し、その後、車両装置が携帯機から応答信号を受けると、車両の稼働を許可するシステムである。
【０００３】
また、このような稼働システムが適用された車両を、遠方から稼働させる遠隔スタータシステムも存在する。遠隔スタータシステムは、携帯機と無線通信するリモコンと、車両装置と無線通信する設置器とを備えている。リモコンは携帯機とともに携帯され、設置器は、車両装置と通信可能な車両内に設置される。リモコンと携帯機、又は、設置器と車両装置で行われる無線通信の通信距離は、非常に短い。これに対し、リモコンと設置器とは、リモコンと携帯機、又は、設置器と車両装置で行われる無線通信よりも遙かに通信距離が長い無線通信を行うことができる。
【０００４】
遠隔スタータシステムを利用して、上述した稼働システムが適用された車両を稼働させる場合、次のような通信が行われる。まず、リモコンが備えるスイッチが操作されると、リモコンから設置器に操作信号が無線で送られる。この操作信号を設置器が受信すると、車両の車両装置から発信された第１信号を設置器が受信し、その第１信号が、設置器からリモコンを介して携帯機に無線で送られる。そして、携帯機が第１信号を受信すると、携帯機からリモコンに第２信号が送られ、さらに第２信号は、リモコンから設置器を介して、車両装置に無線で送られる。そうすると、車両の稼働が許可される。そのため、遠隔スタータシステムを用いれば、上述の稼働システムが適用されて携帯機を車両装置に近づけなければ稼働しない車両でも、遠方から稼働させることができる。
【０００５】
通常、携帯機には、家屋の鍵などと連結するため、携帯機の筐体の周囲側面に、キーホルダー用のリングを引っ掛ける引掛部が設けられていることが多い。また、リモコンにも、携帯機に連結するため、リモコンの筐体の周囲側面に引掛部が設けられていることが多い。そのため車両の使用者は、携帯機及びリモコンのそれぞれの引掛部にリングを通すことで、携帯機及びリモコンを一緒に携帯することができる。
【０００６】
このように連結されたリモコン及び携帯機を用いて、車両を遠隔から稼働させる場合、車両の使用者は、リモコンを手に持ち、リングを介して携帯機をリモコンからぶら下げた状態で、リモコンを操作することが多い。
【発明の概要】
【発明が解決しようとする課題】
【０００７】
しかし、リモコンが操作されるとき、リモコンからぶら下げられた携帯機がリモコンから遠ざかる方向に傾くことがある。そして、携帯機がこのように傾くと、携帯機とリモコンとの間で無線通信が行えない可能性がある。
そこで、本発明では、連結された連結対象物がリモコン等の通信装置から遠ざかる方向に傾いても、連結対象物と通信装置との間で無線通信できる可能性を高めることを目的とする。
【課題を解決するための手段】
【０００８】
（１）本発明の通信装置は、使用者の手に握られる筐体部であって、前記筐体部の高さ方向、幅方向及び奥行き方向のうち、前記高さ方向が最も長い長尺状に形成された前記筐体部と、少なくとも一つの実装面を有し、前記実装面に複数の回路素子が実装されることにより電子回路が形成され、前記筐体部に内蔵される電子回路基板部と、前記筐体部に内蔵され、前記電子回路が、前記筐体部に連結される連結対象物と無線通信をするためのアンテナ部と、を備える通信装置である。
【０００９】
この通信装置の前記筐体部は、当該筐体部の面のうち、当該筐体部を前記奥行き方向に見た面と、当該面とは反対側の面とは反対側の面とのいずれか一方の面において、前記高さ方向の両方の縁部のうち一方の縁部に設けられた凹部と、前記凹部に設けられ、当該通信装置と前記連結対象物とを連結する連結具を引っ掛ける引掛部とを備える。
【００１０】
このように、本発明の通信装置は、筐体部の奥行き方向に垂直な２つの面のうちいずれか一方の面に凹部を設け、この凹部に、連結対象物が連結される引掛部を設けている。そのため、本発明の通信装置は、従来の通信装置のように、筐体部の周囲側面に引掛部が設けられている場合に比べ、筐体部に内蔵されたアンテナ部に連結対象部が近づく傾向にあるので、連結対象物がアンテナ部から遠ざかる方向に傾いても、連結対象物がアンテナ部に対して通信可能な位置に位置する可能性が高まる。
【００１１】
したがって、本発明の通信装置は、従来の通信装置と比較すると、操作時に連結対象物が当該通信装置に対して傾いても、連結対象物と無線通信できる可能性が高まる。
（２）本発明の通信装置は、アンテナ部を、電子回路基板部のうち、引掛部の近傍に取り付けてもよい。
このようにすると、アンテナ部を単に電子回路基板部上の任意の位置に設けた場合に比べ、連結対象物がアンテナ部から遠ざかる方向に傾いても、連結対象物がアンテナ部に対して通信可能な位置に位置する可能性が高まる。
【００１２】
（３）本発明の通信装置の筐体部は、奥行き方向に垂直な２つの面２つの面のうち、いずれか一方の面にスイッチ部を備え、凹部は、これら２つの面のうち、スイッチ部が設けられていない側の面に設けられていてもよい。
このようにすると、スイッチ部が設けられている側の面が、通常操作者がよく見る正面となり、凹部が背面に設けられることになるので、意匠上好ましい。
【００１３】
（４）本発明の通信装置は、引掛部を、非金属材料で構成してもよい。
このようにすれば、通信装置のアンテナ部から発信される電波が、引掛部に邪魔されることなく、連結対象物と通信することができるからである。
（５）本発明の通信装置は、アンテナ部を第１アンテナ部とした場合に、第１アンテナ部とは異なる第２アンテナ部を備えていてもよい。この場合、第２アンテナは、例えば、電子回路基板部に取り付けられ、筐体部から筐体部の外側に向かって伸縮可能に形成されているものでもよい。また、この場合、電子回路は、第２アンテナ部を用いて、連結対象物より遠方に配置された通信対象と無線通信をするものであってもよい。
【図面の簡単な説明】
【００１４】
【図１】（ａ）実施形態のリモコンの斜視図（正面、底面、右側面を視認可能な斜視図）である。（ｂ）実施形態のリモコンの斜視図（背面、正面、左側面を視認可能な斜視図）である。
【図２】（ａ）実施形態のリモコンの正面図である。（ｂ）実施形態のリモコンの背面図である。（ｃ）実施形態のリモコンの左側面図である。（ｄ）実施形態のリモコンの右側面図である。（ｅ）実施形態のリモコンの正面図である。（ｆ）実施形態のリモコンの底面図である。
【図３】（ａ）実施形態のリモコンの正面図である。（ｂ）実施形態のリモコンの背面図である。（ｃ）実施形態のリモコンの左側面図である。（ｄ）実施形態のリモコンの右側面図である。（ｅ）実施形態のリモコンの正面図である。（ｆ）実施形態のリモコンの底面図である。（ａ）〜（ｆ）では、リモコンに内蔵された電子回路基板を点線で示している。
【図４】（ａ）実施形態のリモコンに、キーホルダリングを用いて携帯機を連結させた様子を説明するための模式図で、携帯機が実施形態のリモコンから垂直にぶら下がった様子を示す図である。（ｂ）従来のリモコンに、キーホルダリングを用いて携帯機を連結させた様子を説明するための模式図で、携帯機が従来のリモコンから垂直にぶら下がった様子を示す図である。
【図５】（ａ）実施形態のリモコンに、キーホルダリングを用いて携帯機を連結させた様子を説明するための模式図で、携帯機が実施形態のリモコンから傾いてぶら下がった様子を示す図である。（ｂ）従来のリモコンに、キーホルダリングを用いて携帯機を連結させた様子を説明するための模式図で、携帯機が従来のリモコンから傾いてぶら下がった様子を示す図である。
【発明を実施するための形態】
【００１５】
以下に本発明の例示的な実施形態について図面を参照しながら説明する。
本実施形態のリモコンは、背景技術の欄で説明した遠隔スタータシステムが備えるリモコンとして用いられる。
【００１６】
図１及び図２に示すように、本実施形態のリモコン１は、使用者の手に握られる大きさの筐体部２を備えている。筐体部２は、箱形状に形成されており、高さ方向、幅方向及び奥行き方向のうち、高さ方向が最も長い長尺状に形成されている。以下の説明では、筐体部２のうち、筐体部２を奥行き方向に見た面であって、スイッチ１０が備えられた面を正面２０とよび、その反対側の面を背面２１とよぶ。
【００１７】
本実施形態のリモコン１は、図３に示すように、電子回路基板３を備えている。電子回路基板３は、平板形状に形成されており、厚み方向の両面に実装面を有している。これら実装面には、複数の回路素子が実装されている。これら回路素子により、電子回路基板３には電子回路が形成されている。電子回路基板３は、厚み方向が、筐体部２の奥行き方向と一致するように筐体部２内に内蔵される。
【００１８】
本実施形態のリモコン１は、２つのアンテナを備えている。一つは、図３に示すように、電子回路基板３の実装面３０に実装された第１アンテナ素子４０である。この第１アンテナ素子４０は、電子回路基板３に形成された電子回路が、筐体部２に連結される携帯機９（背景技術の欄で説明した稼働システムが備える携帯機）（図４，図５参照）と無線通信するためのアンテナである。
【００１９】
もう一つは、図１及び図２に示すように、筐体部２に備えられた第２アンテナ４１である。この第２アンテナ４１は、電子回路基板３に形成された電子回路が、背景技術の欄で説明した遠隔スタータシステムが備える設置器と無線通信するためのアンテナである。この第２アンテナ４１は、伸縮可能な、いわゆるロッドアンテナである。
【００２０】
本実施形態の電子回路基板３に形成された電子回路は、第１アンテナ素子４０（図３参照）を用いることにより、携帯機９との間で、１２５ｋＨｚ帯の無線通信（ＬＦ（Low Frequency））を行うことができる。また、本実施形態の電子回路基板３に形成された電子回路は、第２アンテナ４１を用いることにより、設置器との間で、９２０ＭＨｚ帯の無線通信（ＵＨＦ（Ultra High Frequency））を行うことができる。
【００２１】
１２５ｋＨｚ帯の無線通信が可能な距離は、第１アンテナ素子４０（図３参照）から数ｃｍであるため、本実施形態のリモコン１は、携帯機９が近くに位置に位置していないと、携帯機９と通信することができない。
９２０ＭＨｚ帯の無線通信が可能な距離は、第２アンテナ４１から数十ｍであるため、リモコン１と携帯機９とが通信可能な距離に比べ、非常に長い距離である。そのため、本実施形態のリモコン１は、車両に設置された設置器が遠くに位置していても、設置器と通信することができる。
【００２２】
本実施形態の筐体部２の背面２１のうち、高さ方向の両方の縁部のうち一方の縁部には、凹部５１が形成されている。また、凹部５１には、リモコン１と携帯機９とを連結するキーホルダリング８を引っ掛ける引掛部５２が形成されている。
【００２３】
本実施形態の筐体部２は、後述する引掛部５２を含み、全体が合成樹脂で形成されている。筐体部２は、電子回路基板３の実装面の長手方向よりも長尺な形状に形成されており、電子回路基板３は、図３に示すように、筐体部２に内蔵されるとき、筐体部２の高さ方向の一方の端側に寄せて内蔵される。そのため、筐体部２には、筐体部２の高さ方向の他方の端部側に電子回路基板３が収納されない余剰空間２４が生じている。本実施形態の凹部５１は、筐体部２を背面２１側からみたとき、筐体部２内に余剰空間２４が生じる部分を凹ませて形成されている（凹部５１は、電子回路基板３が収納されている空間のうち、高さ方向の他方の端部側の一部も凹ませている）。
【００２４】
引掛部５２は、図２に示すように、筐体部２を背面２１側から見たとき、筐体部２の高さ方向に沿って細長い形状に形成されており、凹部５１の幅方向中央に配置されている。また、この引掛部５２は、図２（ｃ）及び図２（ｄ）に示すように、凹部５１を形成する面との間に、キーホルダリング８を通すことができる連結空間５３を形成する。
【００２５】
この引掛部５２に対し、第１アンテナ素子４０は、図３に示すように、電子回路基板３の実装面３０のうち、引掛部５２の近傍に、実装される。
図４（ｂ）に示すように、従来のリモコン１００は、筐体部２の周囲側面に、引掛部５２に相当する引掛部１５２が設けられていた。そのため、図５（ｂ）に示すように、携帯機９がリモコン１００に収納された電子回路基板１０３に実装された第１アンテナ素子１４０から離れる方向に傾くと、第１アンテナ素子４０と携帯機９との距離が長くなってしまい、通信ができなくなる可能性があった。
【００２６】
しかし、本実施形態のリモコン１は、図４（ａ）に示すように、背面２１に凹部５１を設け、この凹部５１に、キーホルダリング８が連結される引掛部５２を設けているので、携帯機９が第１アンテナ素子４０に近寄る。
【００２７】
そのため、本実施形態のリモコン１は、図５（ａ）に示すように、携帯機９が第１アンテナ素子４０から遠ざかる方向に傾いても、携帯機９が第１アンテナ素子４０に対して通信可能な位置に位置する可能性が高まる。
したがって、本実施形態のリモコン１は、従来のリモコン１００と比較すると、操作時に携帯機９が当該リモコン１に対して傾いても、携帯機９と無線通信できる可能性が高まる。
【００２８】
また、本実施形態のリモコン１は、第１アンテナ素子４０を、電子回路基板３のうち、引掛部５２の近傍に取り付けている。
このようにすると、第１アンテナ素子４０を単に電子回路基板３の実装面３０上の任意の位置に設けた場合に比べ、携帯機９が第１アンテナ素子４０から遠ざかる方向に傾いても、携帯機９が第１アンテナ素子４０に対して通信可能な位置に位置する可能性が高まる。
【００２９】
次に、本実施形態のリモコンと、本発明との対応関係について説明する。
本実施形態のリモコン１は、本発明の通信装置に相当する。
本実施形態のーホルダリング８は、本発明の連結具に相当する。
【００３０】
［他の実施形態］
以上、実施形態について説明したが、特許請求の範囲に記載された発明は、上記実施形態に限定されることなく、種々の形態を採り得る。
（１）上記実施形態では、筐体部２の形状について、箱形状に形成されており、高さ方向、幅方向及び奥行き方向のうち、高さ方向が最も長い長尺状に形成されている、と説明したが、高さ方向、幅方向、奥行き方向をそれぞれ長手方向、横幅方向、厚み方向と言い換えてもよい。
【００３１】
（２）上記実施形態では、連結具としてキーホルダリング８を挙げたが、連結具はキーホルダリング８に限るものではない。
【００３２】
（３）上記実施形態では、凹部５１及び引掛部５２を筐体部２の背面側に設けたが、筐体部２の正面側に設けてもよい。
（４）上記実施形態では、引掛部５２を合成樹脂で形成した例を説明したが、第１アンテナ素子４０と携帯機９との通信を邪魔しないものであれば、引掛部５２を形成する材料は合成樹脂に限るものではなく、非金属材料等でもよい。
【００３３】
（５）上記実施形態では、意匠上好ましいとの観点から、凹部５１を筐体部２の背面２１側に設けたが、正面２０側に設けてもよい。
（６）上記実施形態では、本発明の通信装置の一例としてリモコン１を挙げたが、通信装置はリモコン１に限るものではない。
（７）上記実施形態では、余剰空間２４が形成される大きさの電子回路基板３を用いた例を示したが、電子回路基板３は余剰空間２４が生じない大きさ、すなわち、電子回路基板３の収納空間２３の高さ方向の長さと同じ長さを有する大きさに形成されていてもよい。
（８）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００３４】
１…リモコン、２…筐体部、３…電子回路基板、９…携帯機、１０…スイッチ、
２０…正面、２１…背面、２３…収納空間、２４…余剰空間、３０、３１…実装面、
４０…第１アンテナ素子、４１…第２アンテナ、５１…凹部、５２…引掛部、
５３…連結空間、１００…リモコン、１０３…電子回路基板、１４０…第１アンテナ素子。
【図１】
2019176419.tif 000003
【図２】
2019176419.tif 000004
【図３】
2019176419.tif 000005
【図４】
2019176419.tif 000006
【図５】
2019176419.tif 000007